【手続補正書】
【提出日】平成19年12月17日(2007.12.17)
【手続補正１】
【補正対象書類名】明細書
【補正対象項目名】特許請求の範囲
【補正方法】変更
【補正の内容】
【特許請求の範囲】
【請求項１】  光源手段と、偏向面が主走査方向に往復運動し、かつ、前記光源手段から出射した光束を偏向する偏向素子と、前記偏向素子の偏向面にて偏向された光束を被走査面に結像させる走査光学系と、を有する走査光学装置であって、
前記偏向素子の偏向面が主走査方向に往復運動することで、前記偏向素子の偏向面にて偏向された光束が前記被走査面を主走査方向に走査しており、
前記偏向素子の偏向面へ入射する主走査方向の光束の幅は、前記偏向素子の偏向面の主走査方向の幅より長く、
前記偏向素子の偏向面へ入射する副走査方向の光束の幅は、前記偏向素子の偏向面の副走査方向の幅より短いことを特徴とする走査光学装置。
【請求項２】  前記偏向素子の往復運動は、正弦振動である請求項１に記載の走査光学装置。
【請求項３】  前記偏向素子の偏向面の主走査方向の幅をＤ（ｍｍ）、前記偏向素子の偏向面で偏向された光束の走査角をθ（ｒａｄ）としたとき、
２．７＜Ｄ・θ＜９．８
成る条件を満足することを特徴とする請求項１又は２に記載の走査光学装置。
【請求項４】  前記被走査面上の走査中央部における副走査方向のスポット径が主走査方向のスポット径に比べて５％以上長くなるようにしていることを特徴とする請求項１乃至３の何れか一項に記載の走査光学装置。
【請求項５】  前記走査光学装置は、プレオブジェクトタイプより成ることを特徴とする請求項１乃至４の何れか一項に記載の走査光学装置。
【請求項６】  前記走査光学装置は、ポストオブジェクトタイプより成ることを特徴とする請求項１乃至４の何れか一項に記載の走査光学装置。
【請求項７】  請求項１乃至６の何れか一項に記載の走査光学装置と、前記走査光学装置の被走査面に配置された感光体と、前記感光体の上を光束が走査することによって形成された静電潜像をトナー像として現像する現像手段と、前記現像されたトナー像を用紙に転写する転写手段と、転写されたトナー像を用紙に定着させる定着手段とを有していることを特徴とする画像形成装置。
【請求項８】  請求項１乃至６の何れか一項に記載の走査光学装置と、外部機器から入力したコードデータを画像信号に変換して前記走査光学装置に入力せしめるプリンタコントローラとを有していることを特徴とする画像形成装置。
【手続補正２】
【補正対象書類名】明細書
【補正対象項目名】００１４
【補正方法】変更
【補正の内容】
【００１４】
【課題を解決するための手段】
請求項１の発明の走査光学装置は、光源手段と、偏向面が主走査方向に往復運動し、かつ、前記光源手段から出射した光束を偏向する偏向素子と、前記偏向素子の偏向面にて偏向された光束を被走査面に結像させる走査光学系と、を有する走査光学装置であって、
前記偏向素子の偏向面が主走査方向に往復運動することで、前記偏向素子の偏向面にて偏向された光束が前記被走査面を主走査方向に走査しており、
前記偏向素子の偏向面へ入射する主走査方向の光束の幅は、前記偏向素子の偏向面の主走査方向の幅より長く、
前記偏向素子の偏向面へ入射する副走査方向の光束の幅は、前記偏向素子の偏向面の副走査方向の幅より短いことを特徴としている。
【手続補正３】
【補正対象書類名】明細書
【補正対象項目名】００１５
【補正方法】変更
【補正の内容】
【００１５】
請求項２の発明は請求項１の発明において、前記偏向素子の往復運動は、正弦振動である請求項１に記載の走査光学装置。
【手続補正４】
【補正対象書類名】明細書
【補正対象項目名】００１６
【補正方法】変更
【補正の内容】
【００１６】
請求項３の発明は請求項１又は２の発明において、前記偏向素子の偏向面の主走査方向の幅をＤ（ｍｍ）、前記偏向素子の偏向面で偏向された光束の走査角をθ（ｒａｄ）としたとき、
２．７＜Ｄ・θ＜９．８
成る条件を満足することを特徴としている。
【手続補正５】
【補正対象書類名】明細書
【補正対象項目名】００１７
【補正方法】変更
【補正の内容】
【００１７】
請求項４の発明は請求項１乃至３の何れか一項の発明において、前記被走査面上の走査中央部における副走査方向のスポット径が主走査方向のスポット径に比べて５％以上長くなるようにしていることを特徴としている。
【手続補正６】
【補正対象書類名】明細書
【補正対象項目名】００１８
【補正方法】変更
【補正の内容】
【００１８】
請求項５の発明は請求項１乃至４の何れか一項の発明において、前記走査光学装置は、プレオブジェクトタイプより成ることを特徴としている。
【手続補正７】
【補正対象書類名】明細書
【補正対象項目名】００１９
【補正方法】変更
【補正の内容】
【００１９】
請求項６の発明は請求項１乃至４の何れか一項の発明において、前記走査光学装置は、ポストオブジェクトタイプより成ることを特徴としている。
【手続補正８】
【補正対象書類名】明細書
【補正対象項目名】００２０
【補正方法】変更
【補正の内容】
【００２０】
請求項７の発明の画像形成装置は、請求項１乃至６の何れか一項に記載の走査光学装置と、前記走査光学装置の被走査面に配置された感光体と、前記感光体の上を光束が走査することによって形成された静電潜像をトナー像として現像する現像手段と、前記現像されたトナー像を用紙に転写する転写手段と、転写されたトナー像を用紙に定着させる定着手段とを有していることを特徴としている。
【手続補正９】
【補正対象書類名】明細書
【補正対象項目名】００２１
【補正方法】変更
【補正の内容】
【００２１】
請求項８の発明の画像形成装置は、請求項１乃至６の何れか一項に記載の走査光学装置と、外部機器から入力したコードデータを画像信号に変換して前記走査光学装置に入力せしめるプリンタコントローラとを有していることを特徴としている。
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】削除
【補正の内容】
【手続補正１２】
【補正対象書類名】明細書
【補正対象項目名】００２４
【補正方法】削除
【補正の内容】
【手続補正１３】
【補正対象書類名】明細書
【補正対象項目名】００２５
【補正方法】削除
【補正の内容】
【手続補正１４】
【補正対象書類名】明細書
【補正対象項目名】００２６
【補正方法】削除
【補正の内容】
【手続補正１５】
【補正対象書類名】明細書
【補正対象項目名】００２７
【補正方法】削除
【補正の内容】
【手続補正１６】
【補正対象書類名】明細書
【補正対象項目名】００２８
【補正方法】削除
【補正の内容】
【手続補正１７】
【補正対象書類名】明細書
【補正対象項目名】００２９
【補正方法】削除
【補正の内容】
【手続補正１８】
【補正対象書類名】明細書
【補正対象項目名】００３０
【補正方法】削除
【補正の内容】
【手続補正１９】
【補正対象書類名】明細書
【補正対象項目名】００３１
【補正方法】削除
【補正の内容】
【手続補正２０】
【補正対象書類名】明細書
【補正対象項目名】００３２
【補正方法】削除
【補正の内容】
【手続補正２１】
【補正対象書類名】明細書
【補正対象項目名】００３３
【補正方法】削除
【補正の内容】
【手続補正２２】
【補正対象書類名】明細書
【補正対象項目名】００３４
【補正方法】削除
【補正の内容】
【手続補正２３】
【補正対象書類名】明細書
【補正対象項目名】００３５
【補正方法】削除
【補正の内容】
【手続補正２４】
【補正対象書類名】明細書
【補正対象項目名】００３６
【補正方法】削除
【補正の内容】
【手続補正２５】
【補正対象書類名】明細書
【補正対象項目名】００３７
【補正方法】削除
【補正の内容】
【手続補正２６】
【補正対象書類名】明細書
【補正対象項目名】００３８
【補正方法】削除
【補正の内容】
【手続補正２７】
【補正対象書類名】明細書
【補正対象項目名】００３９
【補正方法】削除
【補正の内容】
【手続補正２８】
【補正対象書類名】明細書
【補正対象項目名】００４０
【補正方法】削除
【補正の内容】
【手続補正２９】
【補正対象書類名】明細書
【補正対象項目名】００４１
【補正方法】削除
【補正の内容】
【手続補正３０】
【補正対象書類名】明細書
【補正対象項目名】００４２
【補正方法】削除
【補正の内容】
【手続補正３１】
【補正対象書類名】明細書
【補正対象項目名】００４３
【補正方法】削除
【補正の内容】
【手続補正３２】
【補正対象書類名】明細書
【補正対象項目名】００４４
【補正方法】削除
【補正の内容】
【手続補正３３】
【補正対象書類名】明細書
【補正対象項目名】００４５
【補正方法】削除
【補正の内容】
【手続補正３４】
【補正対象書類名】明細書
【補正対象項目名】００４６
【補正方法】削除
【補正の内容】
【手続補正３５】
【補正対象書類名】明細書
【補正対象項目名】００４７
【補正方法】削除
【補正の内容】
【手続補正３６】
【補正対象書類名】明細書
【補正対象項目名】００４８
【補正方法】削除
【補正の内容】